(57)【要約】【課題】カードやリモコンの配布を不要として、利便性向上並びに管理・保守に要する労力削減を図り得るゲート式駐車場の出入口開閉システムを提供する。【解決手段】専用アプリケーションがインストールされた携帯端末２００と、利用者に応じた利用チケット情報に基づきワンタイムパスワードを作成しインターネット経由で携帯端末２００へ通知し、ワンタイムパスワードの利用者による入力によって携帯端末２００から送信される駐車場コードに関連付けられたＩｏＴデバイスコードを携帯端末２００へ送信する管理サーバ３００と、ゲート開閉駆動機構１００に接続され且つ検索信号を常時発信して携帯端末２００と無線通信自在で、携帯端末２００との接続が確立された後、携帯端末２００からのゲート開信号を受信してゲート開閉駆動機構１００に送信するＩｏＴデバイス４００とを備える。【選択図】図１
2020126312.tif 000002
【特許請求の範囲】
【請求項１】
ゲート開閉駆動機構によりゲートが開閉されるゲート式駐車場の出入口開閉システムであって、
利用者によって所持され且つ専用アプリケーションがインストールされた携帯端末と、
前記利用者に応じた利用チケット情報に基づきワンタイムパスワードを作成し、該ワンタイムパスワードをインターネット経由で携帯端末へ通知し、前記ワンタイムパスワードの利用者による入力によって携帯端末から送信される駐車場コードに関連付けられたＩｏＴデバイスコードを携帯端末へ送信する管理サーバと、
前記ゲート開閉駆動機構に接続され且つ検索信号を常時発信して前記携帯端末と無線通信自在で、携帯端末との接続が確立された後、前記携帯端末からのゲート開信号を受信して該ゲート開信号をゲート開閉駆動機構に送信するＩｏＴデバイスと
を備えたゲート式駐車場の出入口開閉システム。
【請求項２】
前記携帯端末は、ＩｏＴデバイスとの接続が確立された後、ゲート開操作時に、前記管理サーバから受信したＩｏＴデバイスコードを専用アプリケーションで暗号化してゲート開信号を作成し、暗号化されたゲート開信号をＩｏＴデバイスへ送信し、
前記ＩｏＴデバイスは、前記携帯端末から受信したゲート開信号を復号化し、復号化後の情報とＩｏＴデバイスコードが一致しているか否かを判定してゲート開信号をゲート開閉駆動機構に送信する請求項１記載のゲート式駐車場の出入口開閉システム。
【請求項３】
前記利用チケット情報は、時間貸しの利用者によって選択される駐車場コードと、利用日時と、利用時間とを含む請求項１又は２記載のゲート式駐車場の出入口開閉システム。
【請求項４】
前記利用チケット情報は、月極契約者又は駐車場関連者を含む利用者によって選択される駐車場コードを含む請求項１又は２記載のゲート式駐車場の出入口開閉システム。
【請求項５】
請求項３記載のゲート式駐車場の出入口開閉システムの使用方法であって、
ゲート式駐車場のサイトで時間貸しの利用者が携帯端末から予約のための利用チケット情報を入力する予約利用チケット情報入力工程と、
該予約利用チケット情報入力工程で入力された予約のための利用チケット情報に基づき、管理サーバがワンタイムパスワードを作成するワンタイムパスワード作成工程と、
該ワンタイムパスワード作成工程で作成されたワンタイムパスワードを携帯端末へ通知するワンタイムパスワード通知工程と、
該ワンタイムパスワード通知工程で通知されたワンタイムパスワードを利用者が入力することにより携帯端末が予約のための利用チケット情報を取得して専用アプリケーションを起動し、駐車場コードを管理サーバへ送信する駐車場コード送信工程と、
該駐車場コード送信工程で送信された駐車場コードに関連付けられたＩｏＴデバイスコードを管理サーバがデータベースから検索して携帯端末へ送信するＩｏＴデバイスコード送信工程と、
該ＩｏＴデバイスコード送信工程で送信されたＩｏＴデバイスコードを携帯端末が受信すると共に、ＩｏＴデバイスから発信される検索信号を携帯端末が受信して、ＩｏＴデバイスに対する携帯端末の接続が確立される接続確立工程と、
該接続確立工程で接続が確立された後、携帯端末にゲート開操作を利用者に促す画面を表示して利用者がゲート開操作を選択するゲート開操作工程と、
該ゲート開操作工程でゲート開操作が選択された後、管理サーバから受信したＩｏＴデバイスコードを専用アプリケーションで暗号化してゲート開信号を作成する暗号化工程と、
該暗号化工程で暗号化したゲート開信号をＩｏＴデバイスへ送信する暗号送信工程と、
該暗号送信工程で送信されたゲート開信号をＩｏＴデバイスが受信して復号化する復号化工程と、
該復号化工程で復号化された復号化後の情報とＩｏＴデバイスコードが一致しているか否かを判定する判定工程と、
該判定工程で復号化後の情報とＩｏＴデバイスコードが一致していると判定された場合に、ＩｏＴデバイスからゲート開閉駆動機構にゲート開信号を送信するゲート開信号送信工程と、
該ゲート開信号送信工程で送信されたゲート開信号をゲート開閉駆動機構が受信してゲートを開くゲート開工程と、
該ゲート開工程でゲートが開かれた後、車両がゲート式駐車場の内部に入場したか否かを判定する入場判定工程と、
該入場判定工程で車両がゲート式駐車場の内部に入場したと判定された場合に、ゲート開閉駆動機構がゲートを閉じるゲート閉工程と
を含むゲート式駐車場の出入口開閉システムの使用方法。
【請求項６】
請求項４記載のゲート式駐車場の出入口開閉システムの使用方法であって、
月極契約者又は駐車場関連者を含む利用者に対する利用チケット情報に基づき、管理サーバがワンタイムパスワードを作成するワンタイムパスワード作成工程と、
該ワンタイムパスワード作成工程で作成されたワンタイムパスワードを携帯端末へ通知するワンタイムパスワード通知工程と、
該ワンタイムパスワード通知工程で通知されたワンタイムパスワードを利用者が入力することにより携帯端末が利用チケット情報を取得して専用アプリケーションを起動し、駐車場コードを管理サーバへ送信する駐車場コード送信工程と、
該駐車場コード送信工程で送信された駐車場コードに関連付けられたＩｏＴデバイスコードを管理サーバがデータベースから検索して携帯端末へ送信するＩｏＴデバイスコード送信工程と、
該ＩｏＴデバイスコード送信工程で送信されたＩｏＴデバイスコードを携帯端末が受信すると共に、ＩｏＴデバイスから発信される検索信号を携帯端末が受信して、ＩｏＴデバイスに対する携帯端末の接続が確立される接続確立工程と、
該接続確立工程で接続が確立された後、携帯端末にゲート開操作を利用者に促す画面を表示して利用者がゲート開操作を選択するゲート開操作工程と、
該ゲート開操作工程でゲート開操作が選択された後、管理サーバから受信したＩｏＴデバイスコードを専用アプリケーションで暗号化してゲート開信号を作成する暗号化工程と、
該暗号化工程で暗号化したゲート開信号をＩｏＴデバイスへ送信する暗号送信工程と、
該暗号送信工程で送信されたゲート開信号をＩｏＴデバイスが受信して復号化する復号化工程と、
該復号化工程で復号化された復号化後の情報とＩｏＴデバイスコードが一致しているか否かを判定する判定工程と、
該判定工程で復号化後の情報とＩｏＴデバイスコードが一致していると判定された場合に、ＩｏＴデバイスからゲート開閉駆動機構にゲート開信号を送信するゲート開信号送信工程と、
該ゲート開信号送信工程で送信されたゲート開信号をゲート開閉駆動機構が受信してゲートを開くゲート開工程と、
該ゲート開工程でゲートが開かれた後、車両がゲート式駐車場の内部に入場したか否かを判定する入場判定工程と、
該入場判定工程で車両がゲート式駐車場の内部に入場したと判定された場合に、ゲート開閉駆動機構がゲートを閉じるゲート閉工程と
を含むゲート式駐車場の出入口開閉システムの使用方法。
【発明の詳細な説明】
【技術分野】
【０００１】
本発明は、ゲート式駐車場の出入口開閉システム及び該ゲート式駐車場の出入口開閉システムの使用方法に関するものである。
【背景技術】
【０００２】
一般に、バーゲート式駐車場、チェーンゲート式駐車場、シャッタゲート式駐車場は、時間貸し駐車場や月極駐車場として広く利用されている。
【０００３】
従来、前記ゲート式駐車場において、出入口のゲートを開く操作は、利用者がカードを挿入したり、或いはリモコンを操作したりすることによって行われている。
【０００４】
尚、前記ゲート式駐車場と関連する一般的技術水準を示すものとしては、例えば、特許文献１がある。
【先行技術文献】
【特許文献】
【０００５】
【特許文献１】特開平９−２９６４１９号公報
【発明の概要】
【発明が解決しようとする課題】
【０００６】
しかしながら、ゲート式駐車場の管理業者にとって、カードやリモコンを利用者に配布することは、その管理や保守に多大な労力を要しているのが現状であった。
【０００７】
又、利用者がカードやリモコンを紛失した際には、再発行の手続きに加え、ゲート開閉駆動機構の制御装置の設定を変更することが必要となる場合もあり、改善が望まれていた。
【０００８】
本発明は、上記従来の問題点に鑑みてなしたもので、カードやリモコンの配布を不要として、利便性向上並びに管理・保守に要する労力削減を図り得るゲート式駐車場の出入口開閉システム及び該ゲート式駐車場の出入口開閉システムの使用方法を提供しようとするものである。
【課題を解決するための手段】
【０００９】
本発明は、ゲート開閉駆動機構によりゲートが開閉されるゲート式駐車場の出入口開閉システムであって、
利用者によって所持され且つ専用アプリケーションがインストールされた携帯端末と、
前記利用者に応じた利用チケット情報に基づきワンタイムパスワードを作成し、該ワンタイムパスワードをインターネット経由で携帯端末へ通知し、前記ワンタイムパスワードの利用者による入力によって携帯端末から送信される駐車場コードに関連付けられたＩｏＴデバイスコードを携帯端末へ送信する管理サーバと、
前記ゲート開閉駆動機構に接続され且つ検索信号を常時発信して前記携帯端末と無線通信自在で、携帯端末との接続が確立された後、前記携帯端末からのゲート開信号を受信して該ゲート開信号をゲート開閉駆動機構に送信するＩｏＴデバイスと
を備えたゲート式駐車場の出入口開閉システムに係るものである。
【００１０】
前記ゲート式駐車場の出入口開閉システムにおいて、前記携帯端末は、ＩｏＴデバイスとの接続が確立された後、ゲート開操作時に、前記管理サーバから受信したＩｏＴデバイスコードを専用アプリケーションで暗号化してゲート開信号を作成し、暗号化されたゲート開信号をＩｏＴデバイスへ送信し、
前記ＩｏＴデバイスは、前記携帯端末から受信したゲート開信号を復号化し、復号化後の情報とＩｏＴデバイスコードが一致しているか否かを判定してゲート開信号をゲート開閉駆動機構に送信することが好ましい。
【００１１】
前記ゲート式駐車場の出入口開閉システムにおいて、前記利用チケット情報は、時間貸しの利用者によって選択される駐車場コードと、利用日時と、利用時間とを含むことができる。
【００１２】
前記ゲート式駐車場の出入口開閉システムにおいて、前記利用チケット情報は、月極契約者又は駐車場関連者を含む利用者によって選択される駐車場コードを含むこともできる。
【００１３】
一方、本発明は、前記利用チケット情報が、時間貸しの利用者によって選択される駐車場コードと、利用日時と、利用時間とを含むゲート式駐車場の出入口開閉システムの使用方法であって、
ゲート式駐車場のサイトで時間貸しの利用者が携帯端末から予約のための利用チケット情報を入力する予約利用チケット情報入力工程と、
該予約利用チケット情報入力工程で入力された予約のための利用チケット情報に基づき、管理サーバがワンタイムパスワードを作成するワンタイムパスワード作成工程と、
該ワンタイムパスワード作成工程で作成されたワンタイムパスワードを携帯端末へ通知するワンタイムパスワード通知工程と、
該ワンタイムパスワード通知工程で通知されたワンタイムパスワードを利用者が入力することにより携帯端末が予約のための利用チケット情報を取得して専用アプリケーションを起動し、駐車場コードを管理サーバへ送信する駐車場コード送信工程と、
該駐車場コード送信工程で送信された駐車場コードに関連付けられたＩｏＴデバイスコードを管理サーバがデータベースから検索して携帯端末へ送信するＩｏＴデバイスコード送信工程と、
該ＩｏＴデバイスコード送信工程で送信されたＩｏＴデバイスコードを携帯端末が受信すると共に、ＩｏＴデバイスから発信される検索信号を携帯端末が受信して、ＩｏＴデバイスに対する携帯端末の接続が確立される接続確立工程と、
該接続確立工程で接続が確立された後、携帯端末にゲート開操作を利用者に促す画面を表示して利用者がゲート開操作を選択するゲート開操作工程と、
該ゲート開操作工程でゲート開操作が選択された後、管理サーバから受信したＩｏＴデバイスコードを専用アプリケーションで暗号化してゲート開信号を作成する暗号化工程と、
該暗号化工程で暗号化したゲート開信号をＩｏＴデバイスへ送信する暗号送信工程と、
該暗号送信工程で送信されたゲート開信号をＩｏＴデバイスが受信して復号化する復号化工程と、
該復号化工程で復号化された復号化後の情報とＩｏＴデバイスコードが一致しているか否かを判定する判定工程と、
該判定工程で復号化後の情報とＩｏＴデバイスコードが一致していると判定された場合に、ＩｏＴデバイスからゲート開閉駆動機構にゲート開信号を送信するゲート開信号送信工程と、
該ゲート開信号送信工程で送信されたゲート開信号をゲート開閉駆動機構が受信してゲートを開くゲート開工程と、
該ゲート開工程でゲートが開かれた後、車両がゲート式駐車場の内部に入場したか否かを判定する入場判定工程と、
該入場判定工程で車両がゲート式駐車場の内部に入場したと判定された場合に、ゲート開閉駆動機構がゲートを閉じるゲート閉工程と
を含むゲート式駐車場の出入口開閉システムの使用方法に係るものである。
【００１４】
又、本発明は、前記利用チケット情報が、月極契約者又は駐車場関連者を含む利用者によって選択される駐車場コードを含むゲート式駐車場の出入口開閉システムの使用方法であって、
月極契約者又は駐車場関連者を含む利用者に対する利用チケット情報に基づき、管理サーバがワンタイムパスワードを作成するワンタイムパスワード作成工程と、
該ワンタイムパスワード作成工程で作成されたワンタイムパスワードを携帯端末へ通知するワンタイムパスワード通知工程と、
該ワンタイムパスワード通知工程で通知されたワンタイムパスワードを利用者が入力することにより携帯端末が利用チケット情報を取得して専用アプリケーションを起動し、駐車場コードを管理サーバへ送信する駐車場コード送信工程と、
該駐車場コード送信工程で送信された駐車場コードに関連付けられたＩｏＴデバイスコードを管理サーバがデータベースから検索して携帯端末へ送信するＩｏＴデバイスコード送信工程と、
該ＩｏＴデバイスコード送信工程で送信されたＩｏＴデバイスコードを携帯端末が受信すると共に、ＩｏＴデバイスから発信される検索信号を携帯端末が受信して、ＩｏＴデバイスに対する携帯端末の接続が確立される接続確立工程と、
該接続確立工程で接続が確立された後、携帯端末にゲート開操作を利用者に促す画面を表示して利用者がゲート開操作を選択するゲート開操作工程と、
該ゲート開操作工程でゲート開操作が選択された後、管理サーバから受信したＩｏＴデバイスコードを専用アプリケーションで暗号化してゲート開信号を作成する暗号化工程と、
該暗号化工程で暗号化したゲート開信号をＩｏＴデバイスへ送信する暗号送信工程と、
該暗号送信工程で送信されたゲート開信号をＩｏＴデバイスが受信して復号化する復号化工程と、
該復号化工程で復号化された復号化後の情報とＩｏＴデバイスコードが一致しているか否かを判定する判定工程と、
該判定工程で復号化後の情報とＩｏＴデバイスコードが一致していると判定された場合に、ＩｏＴデバイスからゲート開閉駆動機構にゲート開信号を送信するゲート開信号送信工程と、
該ゲート開信号送信工程で送信されたゲート開信号をゲート開閉駆動機構が受信してゲートを開くゲート開工程と、
該ゲート開工程でゲートが開かれた後、車両がゲート式駐車場の内部に入場したか否かを判定する入場判定工程と、
該入場判定工程で車両がゲート式駐車場の内部に入場したと判定された場合に、ゲート開閉駆動機構がゲートを閉じるゲート閉工程と
を含むゲート式駐車場の出入口開閉システムの使用方法に係るものである。
【発明の効果】
【００１５】
本発明のゲート式駐車場の出入口開閉システム及び該ゲート式駐車場の出入口開閉システムの使用方法によれば、カードやリモコンの配布を不要として、利便性向上並びに管理・保守に要する労力削減を図り得るという優れた効果を奏し得る。
【図面の簡単な説明】
【００１６】
【図１】本発明のゲート式駐車場の出入口開閉システムの実施例を示す概要構成図である。
【図２】本発明のゲート式駐車場の出入口開閉システム及び該ゲート式駐車場の出入口開閉システムの使用方法の実施例を示す第一制御フロー図である。
【図３】本発明のゲート式駐車場の出入口開閉システム及び該ゲート式駐車場の出入口開閉システムの使用方法の実施例を示す第二制御フロー図である。
【図４】本発明のゲート式駐車場の出入口開閉システム及び該ゲート式駐車場の出入口開閉システムの使用方法の実施例を示す第三制御フロー図である。
【発明を実施するための形態】
【００１７】
以下、本発明の実施の形態を添付図面を参照して説明する。
【００１８】
図１〜図４は本発明のゲート式駐車場の出入口開閉システム及び該ゲート式駐車場の出入口開閉システムの使用方法の実施例である。
【００１９】
前記ゲート式駐車場は、図１に示す如く、ゲート開閉駆動機構１００によりゲート１１０が開閉されるようになっており、その出入口開閉システムは、携帯端末２００と、管理サーバ３００と、ＩｏＴデバイス４００とを備えている。
【００２０】
前記携帯端末２００は、利用者によって所持され且つ専用アプリケーションがインストールされている。
【００２１】
前記管理サーバ３００は、前記利用者に応じた利用チケット情報に基づきワンタイムパスワードを作成し、該ワンタイムパスワードをインターネット経由で携帯端末２００へ通知し、前記ワンタイムパスワードの利用者による入力によって携帯端末２００から送信される駐車場コードに関連付けられたＩｏＴデバイスコードを携帯端末２００へ送信するようになっている。
【００２２】
前記ＩｏＴデバイス４００は、前記ゲート開閉駆動機構１００に接続され且つ検索信号を常時発信して前記携帯端末２００と無線通信自在で、携帯端末２００との接続が確立された後、前記携帯端末２００からのゲート開信号を受信して該ゲート開信号をゲート開閉駆動機構１００に送信するようになっている。尚、前記ゲート開閉駆動機構１００の基板は、予備となる複数の接続端子を備え、該接続端子にＩｏＴデバイス４００を有線接続するようになっている。又、前記ＩｏＴデバイス４００は、前記携帯端末２００に対し、Bluetooth（登録商標）、特にBluetooth Low Energy（BLE）等の近距離無線通信規格における低消費電力の通信モードで接続するようになっている。
【００２３】
又、前記携帯端末２００は、ＩｏＴデバイス４００との接続が確立された後、ゲート開操作時に、前記管理サーバ３００から受信したＩｏＴデバイスコードを専用アプリケーションで暗号化してゲート開信号を作成し、暗号化されたゲート開信号をＩｏＴデバイス４００へ送信するようになっている。更に、前記ＩｏＴデバイス４００は、前記携帯端末２００から受信したゲート開信号を復号化し、復号化後の情報とＩｏＴデバイスコードが一致しているか否かを判定してゲート開信号をゲート開閉駆動機構１００に送信するようになっている。
【００２４】
前記利用者が時間貸しの利用者である場合、前記利用チケット情報は、時間貸しの利用者によって選択される駐車場コードと、利用日時と、利用時間とを含んでいる。
【００２５】
又、前記利用者が月極契約者又は駐車場関連者を含む利用者である場合、前記利用チケット情報は、月極契約者又は駐車場関連者を含む利用者に対する駐車場コードと、利用期間とを含んでいる。
【００２６】
尚、前記ゲート開閉駆動機構１００の近傍位置には、図１に示す如く、駐車券発行機５００が設置されている。該駐車券発行機５００は、予約をしていない一般の利用者がゲート式駐車場を利用する際に、駐車券を発行するためのものである。
【００２７】
次に、上記実施例の作用を説明する。
【００２８】
先ず、時間貸しの利用者の場合、ゲート式駐車場のサイトで携帯端末２００から予約のための利用チケット情報を入力する（図２のステップＳ１００参照）。これが予約利用チケット情報入力工程となる。ここで、前記利用チケット情報には、時間貸しの利用者によって選択される駐車場コードと、利用日時と、利用時間とが含まれている。尚、月極契約者又は駐車場関連者を含む利用者の場合、前記予約利用チケット情報入力工程は不要となる。
【００２９】
前記予約利用チケット情報入力工程で入力された予約のための利用チケット情報は、インターネット経由で管理サーバ３００へ送信され、前記予約のための利用チケット情報に基づき、管理サーバ３００においてワンタイムパスワードが作成される（図２のステップＳ１１０、図３のステップＳ１２０、ステップＳ１３０参照）。これがワンタイムパスワード作成工程となる。尚、月極契約者又は駐車場関連者を含む利用者は、前記管理サーバ３００に既に登録されて予約は不要となっており、前記ワンタイムパスワード作成工程として、月極契約者又は駐車場関連者を含む利用者に対する駐車場コードと、利用期間とを含む利用チケット情報に基づき、管理サーバ３００においてワンタイムパスワードが作成される（図２のステップＳ１１０´、図３のステップＳ１２０´、ステップＳ１３０参照）。
【００３０】
前記ワンタイムパスワード作成工程で作成されたワンタイムパスワードは、管理サーバ３００から携帯端末２００へメール等により通知される（図３のステップＳ１４０参照）。これがワンタイムパスワード通知工程となる。
【００３１】
前記ワンタイムパスワード通知工程で通知されたワンタイムパスワードは、携帯端末２００で受信され（図３のステップＳ１５０参照）、該携帯端末２００の画面上で利用者がワンタイムパスワードを入力すると（図３のステップＳ１６０参照）、携帯端末２００が予約のための利用チケット情報を取得することができる（図３のステップＳ１７０参照）。前記利用チケット情報が取得されると、専用アプリケーションが起動され（図３のステップＳ１８０参照）、駐車場コードが管理サーバ３００へ送信される（図３のステップＳ１９０参照）。これが駐車場コード送信工程となる。
【００３２】
前記駐車場コード送信工程で送信された駐車場コードは、管理サーバ３００で受信され（図３のステップＳ２００参照）、前記駐車場コードに関連付けられたＩｏＴデバイスコードが管理サーバ３００においてデータベースから検索され（図３のステップＳ２１０参照）、前記ＩｏＴデバイスコードが携帯端末２００へ送信される（図３のステップＳ２２０参照）。これがＩｏＴデバイスコード送信工程となる。
【００３３】
前記ＩｏＴデバイスコード送信工程で送信されたＩｏＴデバイスコードは、携帯端末２００で受信され（図３のステップＳ２３０参照）、駐車場の画面表示が行われる（図３のステップＳ２４０参照）。この時、ＩｏＴデバイス４００からは検索信号が常時発信されており（図３のステップＳ２６０参照）、該検索信号を携帯端末２００が受信する（図３のステップＳ２７０参照）。
【００３４】
前記検索信号を携帯端末２００が受信すると、ＩｏＴデバイス４００に対する携帯端末２００の接続が確立される（図３のステップＳ３００参照）。これが接続確立工程となる。
【００３５】
前記接続確立工程で接続が確立された後、携帯端末２００には、ゲート開操作を利用者に促す画面として、例えば、ゲート開釦が点灯する形で表示される（図４のステップＳ３１０参照）。利用者は、前記ゲート開釦をタップすることによりゲート開操作を選択する（図４のステップＳ３２０参照）。これがゲート開操作工程となる。利用者が前記ゲート開釦をタップした事実は、管理サーバ３００へ送信される（図４のステップＳ３３０参照）。管理サーバ３００は、利用者が前記ゲート開釦をタップした事実を受信すると（図４のステップＳ３４０参照）、その事実はタップ履歴情報に追加され、該タップ履歴情報が更新される（図４のステップＳ３５０参照）。尚、前記タップ履歴情報には、利用者、時間、位置、等の情報が含まれる。
【００３６】
前記ゲート開操作工程でゲート開操作が選択された後、管理サーバ３００から受信したＩｏＴデバイスコードは、専用アプリケーションで暗号化されてゲート開信号が作成される（図４のステップＳ３６０参照）。これが暗号化工程となる。
【００３７】
前記暗号化工程で暗号化したゲート開信号は、ＩｏＴデバイス４００へ送信される（図４のステップＳ３７０参照）。これが暗号送信工程となる。
【００３８】
前記暗号送信工程で送信されたゲート開信号は、ＩｏＴデバイス４００により受信されて（図４のステップＳ３８０参照）、復号化される（図４のステップＳ３９０参照）。これが復号化工程となる。
【００３９】
前記復号化工程で復号化された復号化後の情報は、ＩｏＴデバイスコードと一致しているか否かが判定される（図４のステップＳ４００参照）。これが判定工程となる。
【００４０】
前記判定工程で復号化後の情報とＩｏＴデバイスコードが一致していると判定された場合には、ＩｏＴデバイス４００からゲート開閉駆動機構１００にゲート開信号が送信される（図４のステップＳ４１０参照）。これがゲート開信号送信工程となる。
【００４１】
ここで、前記第一判定工程で行われるＩｏＴデバイス４００に対する携帯端末２００の接続確立に加え、前記暗号化工程、暗号送信工程、復号化工程、判定工程を経てゲート開信号送信工程に至る手順は、ゲート式駐車場の不正利用を防止し、セキュリティを高める上で非常に有効となる。
【００４２】
前記ゲート開信号送信工程で送信されたゲート開信号は、ゲート開閉駆動機構１００により受信されて（図４のステップＳ４２０参照）、ゲート１１０が開かれる（図４のステップＳ４３０参照）。これがゲート開工程となる。
【００４３】
前記ゲート開工程でゲート１１０が開かれた後、車両Ｃがゲート式駐車場の内部に入場したか否かが判定される（図４のステップＳ４４０参照）。これが入場判定工程となる。因みに、前記ゲート式駐車場のゲート開閉駆動機構１００の近傍位置には、図示していない外部センサ（例えば、ループコイル、超音波センサ、光電管等）が設けられ、該外部センサから、車両Ｃが入場した信号を受信した場合に、車両Ｃがゲート１１０を通過したと判定される。
【００４４】
前記入場判定工程で車両Ｃがゲート式駐車場の内部に入場したと判定された場合、ゲート開閉駆動機構１００によりゲート１１０が閉じられる（図４のステップＳ４５０参照）。これがゲート閉工程となる。尚、前記入場判定工程で車両Ｃがゲート式駐車場の内部に入場したと判定されない場合、前記ゲート１１０は開いたまま保持され、そのままの状態で設定時間が経過すると、警報が発せられ、管理業者に異常が知らされる。
【００４５】
本実施例の場合、ゲート式駐車場の管理業者は、カードやリモコンを利用者に配布しなくて済み、その管理や保守に要していた多大な労力を大幅に削減することが可能となる。
【００４６】
又、利用者がカードやリモコンを紛失することはなく、再発行の手続きは不要で、ゲート開閉駆動機構１００の制御装置の設定を変更する必要もなくなる。
【００４７】
更に又、前記ゲート開閉駆動機構１００の基板には、予備となる複数の接続端子が設けられているため、該接続端子にＩｏＴデバイス４００を有線接続するだけで特別な改造を行うことなく、既存のゲート式駐車場に対して本実施例の出入口開閉システムを導入することが可能となる。
【００４８】
こうして、カードやリモコンの配布を不要として、利便性向上並びに管理・保守に要する労力削減を図り得る。
【００４９】
尚、本発明のゲート式駐車場の出入口開閉システム及び該ゲート式駐車場の出入口開閉システムの使用方法は、上述の実施例にのみ限定されるものではなく、本発明の要旨を逸脱しない範囲内において種々変更を加え得ることは勿論である。
【符号の説明】
【００５０】
１００     ゲート開閉駆動機構
１１０     ゲート
２００     携帯端末
３００     管理サーバ
４００     ＩｏＴデバイス
５００     駐車券発行機
Ｃ     車両
【図１】
2020126312.tif 000003
【図２】
2020126312.tif 000004
【図３】
2020126312.tif 000005
【図４】
2020126312.tif 000006